(57)【特許請求の範囲】
【請求項１】
映像出力装置、および他の映像表示装置と接続され、前記映像出力装置から取得した映像データを、前記他の映像表示装置へカスケード接続にて伝送が可能な映像表示装置において、
前記映像表示装置の最大映像転送帯域と、前記他の映像表示装置の最大映像転送帯域とを取得する取得手段と、
前記映像データに基づいて画像を表示する表示手段と、
前記表示手段を制御する表示制御手段と、
を備え、
前記表示制御手段は、前記他の映像表示装置の最大映像転送帯域が、前記映像表示装置の最大映像転送帯域より大きい場合に、前記映像出力装置と、前記映像表示装置と、前記他の映像表示装置の接続順に関する情報を表示するように、前記表示手段を制御することを特徴とする映像表示装置。
【請求項２】
前記映像表示装置に他の映像表示装置が接続されているか否かを検出する検出手段を有し、
前記検出手段が前記他の映像表示装置が接続されていることを検出したことに応じて、前記取得手段は、前記他の映像表示装置の最大映像転送帯域を取得することを特徴とする請求項１に記載の映像表示装置。
【請求項３】
前記映像出力装置から取得した映像データのうち、前記映像表示装置で表示する第１映像データと、前記第１映像データ以外の第２映像データとに分離する分離手段と、
前記第２映像データを、前記他の映像表示装置へ出力する出力手段と、
を有し、
前記表示制御手段は、前記第１映像データに基づいて画像を表示するように、前記表示手段を制御することを特徴とする、請求項１または２に記載の映像表示装置。
【請求項４】
前記表示制御手段は、前記他の映像表示装置の最大映像転送帯域が、前記映像表示装置の最大映像転送帯域より大きい場合に、前記他の映像表示装置を前記映像出力装置に接続するように促す表示をするように、前記表示手段を制御することを特徴とする請求項１から３のいずれか１項に記載の映像表示装置。
【請求項５】
前記表示制御手段は、前記映像出力装置に対する前記映像表示装置、および前記他の映像表示装置の接続順が、最大映像転送帯域が大きい順になる接続順を表示するように、前記表示手段を制御することを特徴とする請求項１から４のいずれか１項に記載の映像表示装置。
【請求項６】
前記映像表示装置の最大映像転送帯域の情報を保持する保持手段を備え、
前記取得手段は、前記保持手段から、前記映像表示装置の最大映像転送帯域を取得することを特徴とする請求項１から５のいずれか１項に記載の映像表示装置。
【請求項７】
前記映像出力装置と、前記映像表示装置と、前記他の映像表示装置との接続順に関する情報は、前記映像出力装置と、前記映像表示装置と、前記他の映像表示装置との接続順に関するＧＵＩ画像データであり、
前記表示制御手段は、前記他の映像表示装置の最大映像転送帯域が、前記映像表示装置の最大映像転送帯域より大きい場合に、前記ＧＵＩ画像データを表示するように、前記表示手段を制御することを特徴とする請求項１から６のいずれか１項に記載の映像表示装置。
【請求項８】
前記他の映像表示装置と、ＤｉｓｐｌａｙＰｏｒｔケーブルを介して接続することを特徴とする請求項１から７のいずれか１項に記載の映像表示装置。
【請求項９】
映像出力装置に接続された第１の映像表示装置及び前記第１の映像表示装置に接続されている第２の映像表示装置へ、カスケード接続にて映像データの伝送が可能な映像出力装置において、
前記第１の映像表示装置及び前記第２の映像表示装置の最大映像転送帯域を取得する取得手段と、
前記第２の映像表示装置の最大映像転送帯域が、前記第１の映像表示装置の最大映像転送帯域より大きい場合に、前記映像出力装置と前記第１の映像表示装置と前記第２の映像表示装置との接続順に関する情報を表示するように、前記第１の映像表示装置及び前記第２の映像表示装置のうち少なくとも一方を制御する制御部と、
を有することを特徴とする映像出力装置。
【請求項１０】
前記第１の映像表示装置と、ＤｉｓｐｌａｙＰｏｒｔケーブルを介して接続することを特徴とする請求項９に記載の映像出力装置。
【請求項１１】
映像データに基づいて画像を表示する表示手段を備え、映像出力装置、および他の映像表示装置と接続され、前記映像出力装置から取得した映像データを、前記他の映像表示装置へカスケード接続にて伝送が可能な映像表示装置の制御方法において、
前記映像表示装置の最大映像転送帯域と、前記他の映像表示装置の最大映像転送帯域を取得する取得ステップと、
前記他の映像表示装置の最大映像転送帯域が、前記映像表示装置の最大映像転送帯域より大きい場合に、前記映像出力装置と、前記映像表示装置と、前記他の映像表示装置の接続順に関する情報を表示するように、前記表示手段を制御する表示制御ステップと、
を有することを特徴とする映像表示装置の制御方法。
【請求項１２】
映像出力装置に接続された第１の映像表示装置及び前記第１の映像表示装置に接続されている第２の映像表示装置へ、カスケード接続にて映像データの伝送が可能な映像出力装置の制御方法において、
前記第１の映像表示装置及び前記第２の映像表示装置の最大映像転送帯域を取得する取得ステップと、
前記第２の映像表示装置の最大映像転送帯域が、前記第１の映像表示装置の最大映像転送帯域より大きい場合に、前記映像出力装置と前記第１の映像表示装置と前記第２の映像表示装置との接続順に関する情報を表示するように、前記第１の映像表示装置及び前記第２の映像表示装置のうち少なくとも一方を制御する制御ステップと、
を有することを特徴とする映像出力装置の制御方法。
【請求項１３】
請求項１１に記載の映像表示装置の制御方法の各ステップをコンピュータに実行させるためのプログラム。
【請求項１４】
請求項１２に記載の映像出力装置の制御方法の各ステップをコンピュータに実行させるためのプログラム。
【発明の詳細な説明】
【技術分野】
【０００１】
本発明は、映像出力装置と複数の映像表示装置とをカスケード接続可能な、映像表示装置、映像出力装置、制御方法及びプログラムに関するものである。
【背景技術】
【０００２】
現在、ディスプレイ等の映像表示装置に映像信号を送信するインタフェースとして、さまざまな規格が存在する。近年、映像出力装置（パーソナルコンピュータ等）からの映像送信に用いられていたＤＶＩ（Ｄｉｇｉｔａｌ  Ｖｉｓｕａｌ  Ｉｎｔｅｒｆａｃｅ）に代わって、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）によって策定されたＤｉｓｐｌａｙＰｏｒｔ規格に準拠した通信システム（以下「ＤｉｓｐｌａｙＰｏｒｔシステム」）が普及してきている。
【０００３】
ＤｉｓｐｌａｙＰｏｒｔ規格は、さらなる高解像度映像もしくは３Ｄ映像を伝送するため、Ｖｅｒｓｉｏｎ１．２へ改定されたことで、映像転送帯域が１０．８Ｇｂｐｓから２１．６Ｇｂｐｓに増大した。さらに、ＤｉｓｐｌａｙＰｏｒｔシステムにおいて、複数の映像表示装置同士をＤｉｓｐｌａｙＰｏｒｔケーブルのみにてカスケード接続（直列に接続）する映像表示システム環境を容易に構築することができようになった。
【０００４】
図１４は、ＤｉｓｐｌａｙＰｏｒｔ規格に準拠したＰＣなどの映像出力装置１４１及び２台の映像表示装置１４２、１４３を、ＤｉｓｐｌａｙＰｏｒｔケーブル１４４及び１４５によってカスケード接続した映像表示システムを示している。図１４のようなシステムでは、映像出力装置１４１から出力した映像データの一部を映像表示装置１４２の表示部に表示させ、該映像データの他の一部を映像表示装置１４３の表示部に表示させることが可能となる。
【０００５】
従来、複数のデジタル機器をカスケード接続するシステムに関する技術として、特許文献１のような技術がある。特許文献１には、カスケード接続する複数のデジタル機器の個別番号の設定や接続順を容易に管理するために、マスタ装置とスレーブ装置との接続した距離に応じて個別番号を割り当て、その順に沿った機器の接続を行うことが記載されている。
【先行技術文献】
【特許文献】
【０００６】
【特許文献１】特開２００８−２９４５０５号公報
【発明の概要】
【発明が解決しようとする課題】
【０００７】
図１４に示すようなシステムの場合、映像出力装置１４１から伝送された映像データは、映像表示装置１４２内で、映像表示装置１４２の表示部に表示すべき映像データと、映像表示装置１４３の表示部に表示すべき映像データとに分けられる。そして、映像表示装置１４３の表示部に表示すべき映像データが映像表示装置１４２から伝送される。つまり、ケーブル１４４を伝送されるデータ量は、映像表示装置１４２の表示部に表示すべき映像データと、映像表示装置１４３の表示部に表示すべき映像データを含むため、ケーブル１４５を伝送されるデータ量に比べて大きい。
【０００８】
以上から、映像出力装置１４１から映像表示装置１４２へ転送可能な映像データのデータ量（映像転送帯域）は、映像表示装置１４２から映像表示装置１４３へ転送可能な映像転送帯域以上である必要がある。映像出力装置１４１から映像表示装置１４２への映像転送帯域が小さい場合、映像出力装置１４１から映像表示装置１４２へ転送可能なデータ量が少なくなってしまう。これは、例えば映像表示装置１４２の表示部に表示可能な映像データまたは映像表示装置１４３に表示可能な映像データの画素数や転送レートが低下してしまうことを意味する。
【０００９】
特許文献１の技術では、カスケード接続された機器間を伝送される映像データ量の大きさについては考慮されていない。また、装置間の接続の距離で接続順序を決定しているため、図１４のようなシステムでは、ユーザが装置を接続した順序によっては、転送可能なデータ量が少なく、低画素数の映像データしか表示できない場合がある。
【００１０】
本発明は、接続された映像出力装置から取得した映像データを、他の映像表示装置へカスケード接続にて伝送が可能な映像表示装置において、映像出力装置から映像表示装置への転送可能な映像データ量を最大とする接続順を通知することを目的とする。また、他の目的は、映像データを他の映像表示装置へカスケード接続にて伝送が可能な映像出力装置において、映像出力装置から映像表示装置への転送可能な映像データ量を最大とする接続順を通知するように制御することを目的とする。
【課題を解決するための手段】
【００１１】
上記目的を達成するために、本発明の映像表示装置は、映像出力装置、および他の映像表示装置と接続され、前記映像出力装置から取得した映像データを、前記他の映像表示装置へカスケード接続にて伝送が可能であって、前記映像表示装置の最大映像転送帯域と、前記他の映像表示装置の最大映像転送帯域とを取得する取得手段と、前記映像データに基づいて画像を表示する表示手段と、前記表示手段を制御する表示制御手段と、を備え、前記表示制御手段は、前記他の映像表示装置の最大映像転送帯域が、前記映像表示装置の最大映像転送帯域より大きい場合に、前記映像出力装置と、前記映像表示装置と、前記他の映像表示装置の接続順に関する情報を表示するように、前記表示手段を制御する。
【発明の効果】
【００１２】
本発明によれば、接続された映像出力装置から取得した映像データを、他の映像表示装置へカスケード接続にて伝送が可能な映像表示装置において、映像出力装置から映像表示装置への転送可能な映像データ量を最大とする接続順を通知することが可能となる。また、映像データを他の映像表示装置へカスケード接続にて伝送が可能な映像出力装置において、映像出力装置から映像表示装置への転送可能な映像データ量を最大とする接続順を通知するように制御することが可能となる。
【図面の簡単な説明】
【００１３】
【図１】実施例１にかかる映像表示システムの構成を示す概念図である。
【図２】映像表示装置２０の構成例を示すブロック図である。
【図３】接続制御部２２の構成例を示すブロック図である。
【図４】ＭａｉｎＬｉｎｋラインを伝送するデータ構造、及び該データにおけるＶＣＩＤテーブルの例を示す概念図である。
【図５】分離部で構成されるＶＣＩＤテーブルの例を示す概念図である。
【図６】映像表示装置の最大転送レート、最大ライン数及びダウンデータポート情報の例を示す概念図である。
【図７】実施例１にかかる、接続した複数の映像表示装置の接続順が適切であるか否かを検出する処理を行うためのフローチャートである。
【図８】表示部に表示するＧＵＩ画像データの例を示す概念図である。
【図９】実施例１にかかる映像表示システムの構成を示す概念図である。
【図１０】接続制御部３２内の記憶部に格納するアドレスと各情報との対応関係を示す図である。
【図１１】接続制御部２２内の記憶部に格納するアドレスと各情報との対応関係を示す図である。
【図１２】実施例２にかかる、接続した複数の映像表示装置の接続順が適切であるか否かを検出する処理を行うためのフローチャートである。
【図１３】表示部に表示するＧＵＩ画像データの例を示す概念図である。
【図１４】映像出力装置に２台の映像表示装置をケーブルで接続した映像表示システムを表わす概念図である。
【発明を実施するための形態】
【００１４】
（実施例１）
以下、添付図面を参照して、本発明の実施例を説明する。
【００１５】
図１は、本発明の実施例１にかかる映像表示システムの構成を示すブロック図である。本実施例の映像出力装置１０、映像表示装置２０、映像表示装置３０は、ＤｉｓｐｌａｙＰｏｒｔ規格に準拠した装置とする。映像出力装置１０、映像表示装置２０、映像表示装置３０はケーブル５１及び５２を用いたカスケード接続が可能である。
【００１６】
映像出力装置１０は、トランスミッタ１１、出力端子１２、ＣＰＵ１３及びメモリ１４を有する。トランスミッタ１１は、出力端子１２を介して、出力端子１２に接続されたデバイスとの通信を行う。ＣＰＵ１３は、メモリ１４内に記憶したプログラム等を読み出して実行する処理を行う。
【００１７】
映像表示装置２０の構成の詳細については後述するが、説明を簡易化するため、図１では入力端子２１、接続制御部２２、レシーバ２３、出力端子２４のみ記載している。映像表示装置３０は映像表示装置２０と同様の構成であり、図１では、入力端子３１、接続制御部３２、レシーバ３３、出力端子３４のみ記載している。
【００１８】
ケーブル５１及び５２はそれぞれ、メインリンク（ＭａｉｎＬｉｎｋ）ライン、ＨＰＤ（Ｈｏｔ  Ｐｌｕｇ  Ｄｅｔｅｃｔ）ライン、ＡＵＸ（Ａｕｘｉｌｉａｒｙ）チャネルラインを有する。図１において、ＭａｉｎＬｉｎｋライン、ＨＰＤライン、ＡＵＸチャネルラインはそれぞれ、点線、破線、実線で示されている。ＭａｉｎＬｉｎｋラインは、音声／映像データを転送するための一方向通信ラインであり、ＨＰＤラインは、カスケード接続した映像表示装置内の接続制御部（Ｂｒａｎｃｈ）が動作可能であるか否かの信号の伝送ラインである。
【００１９】
また、ＡＵＸチャネルラインは接続された機器間で、機器情報や認証情報を双方向に伝送可能な通信ラインである。カスケード接続されたデバイスがどのように接続されているかを示すトポロジー情報は、映像出力装置１０のトランスミッタ１１、及び映像表示装置２０及び３０の接続制御部２２、３２がＡＵＸチャネルラインにより通信を行うことで管理される。
【００２０】
図１の構成において、映像出力装置１０から映像表示装置２０へ送信する映像データは、トランスミッタ１１のＰｏｒｔ０から出力され、ケーブル５１のＭａｉｎＬｉｎｋラインを介して、映像表示装置２０の入力端子２１に入力される。そして、映像データは接続制御部２２のＰｏｒｔ０に入力され、接続制御部２２のＰｏｒｔ１から出力される。さらに映像データは、ＭａｉｎＬｉｎｋラインを介して、レシーバ２３のＰｏｒｔ０に入力される。このように映像データが伝送される接続を、トランスミッタ１１及び接続制御部２２から映像データが出力されるポートの番号を用いて、トポロジー情報として［０．１］と表す。
【００２１】
また、映像出力装置１０から映像表示装置３０へ送信する映像データは、映像出力装置１０のトランスミッタのＰｏｒｔ０から出力されたのち、映像表示装置２０の入力端子２１を介して接続制御部２２のＰｏｒｔ２から出力される。さらに映像データは出力端子２４及び入力端子３１を介して、映像表示装置３０の接続制御部３２のＰｏｒｔ１から出力されて、レシーバ３３のＰｏｒｔ０に入力される。よってこの接続をトポロジー情報として［０．２．１］と表わす。これらのトポロジー情報をカスケード接続されたデバイス間で共有することにより、各デバイス内の接続制御部は、送信された映像データを所定の映像表示装置で表示できるように振り分けることが可能となる。
【００２２】
次に映像表示装置２０の構成について説明する。図２は、映像表示装置２０の構成例を示すブロック図である。映像表示装置３０も同様の構成である。図２において、映像表示装置２０は、入力端子２１、接続制御部２２、レシーバ２３、出力端子２４、ＧＵＩ（Ｇｒａｐｈｃａｌ  Ｕｓｅｒ  Ｉｎｔｅｒｆａｃｅ）生成部２５、画像処理部２６、表示制御部２７、表示部２８を有する。入力端子２１は、ＰＣ等の映像出力装置またはカスケード接続可能な映像表示装置の出力端子と、ＤｉｓｐｌａｙＰｏｒｔケーブルを用いることで接続可能である。本実施例のシステムにおいては、ケーブル５１を介して映像出力装置１０と接続される。出力端子２４は、カスケード接続可能な映像表示装置３０の入力端子３１とケーブル５２で接続される。
【００２３】
図３を用いて、接続制御部２２の構成について詳細に説明する。図３において、接続制御部２２は、ＭａｉｎＬｉｎｋ受信部２０１、分離部２０２、ＭａｉｎＬｉｎｋ送信部２０３、ＭａｉｎＬｉｎｋ送信部２０４、ＡＵＸスレーブ通信部２０５、ＡＵＸマスタ通信部２０６を有する。更に、比較部２０７、記憶部２０８、ＨＰＤ検出部２０９、ＨＰＤ送信部２１０を有する。
【００２４】
ＭａｉｎＬｉｎｋ受信部２０１は、入力端子２１からＭａｉｎＬｉｎｋラインを介して入力される映像データを受信し、データの符号が正常であることを確認して、分離部２０２に映像データを送信する。分離部２０２は、送信された映像データを所定のＭａｉｎＬｉｎ送信部に振り分けるように分離する。
【００２５】
分離部２０２での映像データの分離方法について説明する。本実施例において映像出力装置１０は、前述したトポロジー情報を用いて、映像出力装置１０から映像表示装置２０へ送信する（トポロジー情報が［０．１］の）映像データに対してＶＣＩＤ（Ｖｉｒｔｕａｌ  ＩＤ）を１と割り当てるとする。また、映像出力装置１０から映像表示装置２０へ送信する（トポロジー情報が［０．２．１］の）映像データに対して、ＶＣＩＤを２と割り当てるとする。
【００２６】
映像データを伝送するＤｉｓｐｌａｙＰｏｒｔケーブルのＭａｉｎＬｉｎｋラインでは、伝送する映像の画素数（必要な転送帯域）に応じて、最大６３分割して時分割伝送を行うことが可能である。この分割単位をＴｉｍｅスロットと定義する。図４（Ａ）に、ケーブル５１のＭａｉｎＬｉｎｋラインを伝送するデータ構造例を示し、図４（Ｂ）に図４（Ａ）のデータ構造におけるＴｉｍｅスロットとＶＣＩＤとの関係を表わすＶＣＩＤテーブルを示す。
【００２７】
図４（Ａ）のデータ構造において、Ｔｉｍｅスロット１〜３にＶＣＩＤ＝１の（つまり映像表示装置２０へ送信し、映像表示装置２０で表示させる）映像データが格納されている。また、Ｔｉｍｅスロット４〜５にＶＣＩＤ＝２の（つまり映像表示装置３０へ送信し、映像表示装置３０で表示させる）映像データが格納されていることを示す。映像出力装置１０のトランスミッタ１１は、ケーブル５１のＡＵＸチャネルラインを介して、図４（Ｂ）に示すＶＣＩＤテーブルと共にＤＰＣＤ（ＤｉｓｐｌａｙＰｏｒ  Ｃｏｎｆｉｇｕｒａｔｉｏｎ  Ｄａｔａ）制御要求を、ＡＵＸスレーブ通信部２０５へ送信する。ＤＰＣＤ制御要求とは、ＶＣＩＤテーブルをメモリ（ＤＰＣＤ格納領域）に書き込むように指示する制御要求である。ＡＵＸスレーブ通信部２０５は、入力端子２１からＶＣＩＤテーブルと共にＤＰＣＤ制御要求を受信し、ＤＰＣＤ制御要求に従ってＶＣＩＤテーブルを、分離部２０２内のメモリ（ＤＰＣＤ格納領域）に書き込む。図４（Ｂ）のＤＰＣＤアドレスとは、それぞれのＴｉｍｅスロットとＶＣＩＤの関係を書きこむＤＰＣＤ格納領域内のアドレスを示す。ＶＣＩＤが「０」とは、該当するＴｉｍｅスロットに映像データがないことを意味する。
【００２８】
接続制御部２２内の分離部２０２は、メモリに格納されているＶＣＩＤテーブルから、ケーブル５１のＭａｉｎＬｉｎｋラインで伝送された映像データのうちＴｉｍｅスロット１〜３が、ＶＣＩＤ＝１と判断する。そして、分離部２０２は、メモリのＤＰＣＤ格納領域に格納されている図４（Ｂ）のＶＣＩＤテーブルを図５（Ａ）のように更新したＶＣＩＤテーブルを作成する。図５（Ａ）のＶＣＩＤテーブルは、ＡＵＸマスタ通信部２０６からＤＰＣＤ制御要求と共にレシーバ２３に送信され、レシーバ２３内のメモリのＤＰＣＤ格納領域に格納される。また、分離部２０２は、図４（Ａ）（Ｂ）に示すデータのうち、ＶＣＩＤ＝１のＴｉｍｅスロット１〜３の映像データを、ＭａｉｎＬｉｎｋ受信部２０１から受信した映像データから分離し、ＭａｉｎＬｉｎｋ送信部２０３へ送信する。つまり、分離部２０２は、映像表示装置２０で表示する映像データと、映像表示装置２０で表示する映像データ以外の映像データとに分離する。ＭａｉｎＬｉｎｋ送信部２０３は、分離部２０２から送信された映像データ（映像表示装置２０で表示する映像データ）をレシーバ２３へ送信する。
【００２９】
また上記と同様に、分離部２０２はメモリに格納されているＶＣＩＤテーブルから、ケーブル５１のＭａｉｎＬｉｎｋラインで伝送された映像データのうちＴｉｍｅスロット４〜５が、ＶＣＩＤ＝２と判断する。更に分離部２０２は、映像表示装置３０に伝送する映像データを、図５（Ｂ）のＶＣＩＤテーブルに示すように、Ｔｉｍｅスロット１〜２に格納した状態に再構成する。再構成された映像データは、ＭａｉｎＬｉｎｋ送信部２０４へ送信され、ＭａｉｎＬｉｎｋ送信部２０４は、出力端子２４を介して映像データを映像表示装置３０へ伝送する。図５（Ｂ）のＶＣＩＤテーブルは、ＤＰＣＤ制御要求と共に、ＡＵＸマスタ通信部２０６から出力端子２４を介して映像表示装置３０へ送信される。
【００３０】
以上のように、分離部２０２はケーブル５１から伝送された映像データを振り分けることができる。本実施例では、映像表示装置２０の接続制御部２２において、映像表示装置２０の表示部に表示する映像データと、映像表示装置３０の表示部に表示する映像データとを分離する。よって、映像表示装置２０は、映像表示装置３０の表示部で表示する映像データのみを映像表示装置３０へ送信する構成で説明を行うが、特にこれに限られない。
【００３１】
映像表示装置２０が映像出力装置１０から受信する映像データと、映像表示装置３０へ送信する映像データとが同じ、図４の映像データであっても構わない。つまり映像表示装置２０の分離部２０２は、映像データを分離せず、ＭａｉｎＬｉｎｋ受信部２０１から受信した映像データをそのままＭａｉｎＬｉｎｋ送信部２０４へ送信してもよい。この場合、映像表示装置２０は、映像出力装置１０から受信した映像データのうち、ＶＣＩＤ＝１のＴｉｍｅスロット１〜３の映像データを表示する。また、映像表示装置３０は、映像表示装置２０から受信した映像データのうちＶＣＩＤ＝２のＴｉｍｅスロット４、５の映像データを表示する。
【００３２】
図３の比較部２０７は、ＡＵＸマスタ通信部２０６及び出力端子２４を介して、ＡＵＸチャネルラインを用いて、出力端子２４に接続されている映像表示装置３０のＭａｉｎＬｉｎｋラインで伝送可能な映像転送帯域の最大値（最大映像転送帯域）を取得する。また、比較部２０７は、記憶部２０８に格納されている、映像表示装置２０のＭａｉｎＬｉｎｋラインで伝送可能な最大映像転送帯域を取得し、映像表示装置３０の最大映像転送帯域と比較する。比較部２０７は、比較結果をＧＵＩ生成部２５に送信する。
【００３３】
図６（Ａ）に最大転送レートの設定値、図６（Ｂ）に最大ライン数の設定値を示す。最大転送レートとは、ＭａｉｎＬｉｎｋラインの１ライン当たりの最大転送データ量であり、最大ライン数とは、映像表示装置のＤｉｓｐｌａｙＰｏｒｔ端子が有するＭａｉｎＬｉｎｋラインのライン数である。最大転送レートの設定値、及び最大ライン数の設定値は、映像表示装置２０及び３０それぞれが有する接続制御部内にある記憶部（ＤＰＣＤ格納領域）に格納されている。
【００３４】
図６（Ａ）は、最大転送レートの設定値が、ＤＰＣＤ格納領域のＤＰＣＤアドレス００１番地に格納されていることを示し、図６（Ｂ）は、最大ライン数の設定値が００２番地に格納されていることを示す。出力端子２４に接続されている映像表示装置３０の最大映像転送帯域は、ＡＵＸマスタ通信部２０６が、映像表示装置３０内の接続制御部から読み出した、映像表示装置３０の最大転送レートの設定値及び最大ライン数の設定値を用いて算出できる。
【００３５】
図３に示すＨＰＤ検出部２０９は、レシーバ２３及び出力端子２４に接続された映像表示装置３０の動作状態を、ＨＰＤラインを通じて検出する。ＨＰＤ送信部２１０は、ＡＵＸスレーブ通信部２０５が動作可能状態であるか否かを、ＨＰＤラインを通じて入力端子２１に接続された映像出力装置１０へ送信する。
【００３６】
レシーバ２３は、ＭａｉｎＬｉｎｋ送信部２０３から映像データを受信する。また、レシーバ２３は、ＨＰＤ検出部２０９へレシーバ２３が動作可能であるか否かを、ＨＰＤラインを用いて送信する。またレシーバ２３は、ＡＵＸマスタ通信部２０６からＶＣＩＤテーブルとＤＰＣＤ制御要求を受信し、ＤＰＣＤ制御要求に従ってＶＣＩＤテーブルをレシーバ２３内のメモリに格納する。
【００３７】
ＧＵＩ生成部２５は、比較部２０７からの情報に基づいて、カスケード接続の順序を変更する必要がある場合には、ガイダンス提示用のＧＵＩ画像データを生成し、画像処理部２６へ送信する。画像処理部２６は、レシーバ２３から受信する映像データ及びＧＵＩ生成部２５から受信するＧＵＩ画像データに対して所定の画像処理を行い、表示制御部２７へ送信する。表示制御部２７は、画像処理部２６が処理した映像データまたはＧＵＩ画像データを、表示部２８に表示するように制御し、表示部２８は、該映像データまたはＧＵＩ画像データを表示する。出力端子２４は、ＭａｉｎＬｉｎｋ送信部２０４から送信された映像データ、及びＡＵＸマスタ通信部２０６から送信されたＶＣＩＤテーブルやＤＰＣＤ制御要求等を、接続された映像表示装置３０へ送信する。
【００３８】
映像表示装置３０へ送信された映像データ、ＶＣＩＤテーブルやＤＰＣＤ制御要求は、映像表示装置２０と同様の構成を有する映像表示装置３０内で処理される。映像表示装置３０へ送信された映像データは、図５（Ｂ）に示されるように、ＶＣＩＤ＝２の映像データのみで構成されているので、映像表示装置３０内の接続制御部は、受信した全ての映像データを映像表示装置３０の表示部に表示するよう制御する。
【００３９】
図７は、実施例１において、カスケード接続した複数の映像表示装置の接続順が適切であるか否かを検出し、適切でない場合に映像表示装置の表示部にガイダンスを表示する処理を行うためのフローチャートである。本フローは、ユーザにより映像表示装置２０及び３０の電源が投入されたことに応じて行うものとするが、定期的に行ったり、複数のデバイスを接続しているケーブルの挿抜に応じて行ったりしてもよい。図７のフローは、図１のように複数のデジタル機器がカスケード接続されている状態において、映像出力装置１０内のＣＰＵ１３、映像表示装置２０内の接続制御部２２、または映像表示装置３０内の接続制御部３２でそれぞれ行ってもよい。映像表示装置２０における処理を例に、図７のフローの説明を行う説明を行う。
【００４０】
ステップＳ７０１において、ＨＰＤ検出部２０９は、出力端子２４からのＨＰＤ信号レベルがＨｉｇｈであるか否かを検出する。ＨＰＤ信号レベルがＬｏｗである場合には、出力端子２４にデバイスが接続されていないと判断して、ステップＳ７０１の処理を繰り返す。ＨＰＤ信号レベルがＨｉｇｈである場合には、出力端子２４にデバイスが接続されていると判断して、ステップＳ７０２に処理を進める。図１の構成において、出力端子２４には映像表示装置３０が接続されているため、ＨＰＤ信号レベルはＨｉｇｈと検出されて、ステップＳ７０２へ処理を進める。
【００４１】
ステップＳ７０２において、ＡＵＸマスタ通信部２０６は、出力端子２４に接続された映像表示装置３０が接続制御部を有するデバイスかどうかを、ＡＵＸチャネルラインを通じて検出する。具体的には、ＡＵＸマスタ通信部２０６が、映像表示装置３０から図６（Ｃ）に示すダウンデータポート情報を取得する。映像表示装置３０に接続制御部がある場合には、ダウンデータポート情報は接続制御部内のメモリに格納されている。取得したダウンデータポート情報により、出力端子２４に接続されているデバイス内にダウンデータポートが存在する場合には、該デバイスは接続制御部を有すると判断し、ステップＳ７０３に移行する。ダウンデータポートが存在しない場合には、該デバイスはレシーバデバイス（例えば出力ポートを持たない受信専用映像表示装置等）であると判断し、カスケード接続の順序の入れ替えは不可能なため処理を終了する。図１の構成においては、映像表示装置３０は映像表示装置２０と同様に接続制御部３２を有しているため、ステップＳ７０３へ処理を進める。
【００４２】
ステップＳ７０３において、ＡＵＸマスタ通信部２０６は、図６（Ａ）に示す最大転送レートの設定値及び図６（Ｂ）に示す最大ライン数の設定値を、出力端子２４に接続されている映像表示装置３０の接続制御部３２内のメモリから読み出す。ステップＳ７０４において、比較部２０７は、ステップＳ７０３にて読みだした最大転送レートの設定値及び最大ライン数の設定値を乗算して、最大映像転送帯域を算出する。ステップＳ７０５において、比較部２０７は、映像表示装置２０の最大映像転送帯域を記憶部２０８から読み出す。そしてステップＳ７０６において、比較部２０７は、映像表示装置２０の最大映像転送帯域と、ステップＳ７０４において算出した出力端子２４に接続されているデバイス（映像表示装置３０）の最大映像転送帯域とを比較する。
【００４３】
映像表示装置２０の最大映像転送帯域の方が、出力端子２４の接続デバイス（映像表示装置３０）の最大映像転送帯域より大きい場合、カスケード接続の接続順について特に問題はないため、処理を終了する。映像表示装置２０の最大映像転送帯域の方が、出力端子２４の接続デバイスの最大映像転送帯域より小さい場合は、カスケード接続されている複数の映像表示装置の映像転送能力を最大限に用いられていない可能性がある。映像表示装置２０の最大映像転送帯域の方が、出力端子２４の接続デバイスの最大映像転送帯域より小さい場合は、ステップＳ７０７において、ＧＵＩ生成部２５は、映像表示装置の接続順の変更を促すようなＧＵＩ画像データを生成する。例えば、図８に示すようなＧＵＩ画像データをＧＵＩ生成部２５が生成し、表示制御部２７は表示部２８にＧＵＩ画像データを表示するように制御する。
【００４４】
映像表示装置３０においては、図７のステップＳ７０２で、接続制御部３２内のＡＵＸマスタ通信部が、出力端子３４に接続された映像表示装置が接続制御部を有するデバイスかどうかを、ＡＵＸチャネルラインを通じて検出する。図１の構成において、映像表示装置３０の出力端子３４に映像表示装置は接続されていないため、接続制御部３２内のＡＵＸマスタ通信部はステップＳ７０２でＮｏと判断し、処理を終了する。
【００４５】
また、映像出力装置１０では、出力端子１２に接続制御部を有する映像表示装置２０が接続されている（ステップＳ７０２でＹｅｓ）。また、ステップＳ７０３においてＣＰＵ１３が、出力端子１２に接続されている映像表示装置２０から、最大転送レートの設定値及び最大ライン数の設定値を読み出す。このときの映像表示装置２０には、映像表示装置２０の出力端子２４に接続されている映像表示装置３０の最大転送レートの設定値及び最大ライン数の設定値も格納されている。よって、映像出力装置１０は、ステップＳ７０３において、映像表示装置２０及び映像表示装置３０それぞれの最大転送レートの設定値及び最大ライン数の設定値を読み出す。これらの設定値から、ＣＰＵ１３は、映像出力装置１０の出力端子１２に接続されている映像表示装置２０の方が、映像表示装置３０より最大映像転送帯域が狭いか否かを、ステップＳ７０６において判断する。そして、接続順を変更した方がよい場合には、映像出力装置１０内のＣＰＵ１３は、映像表示装置の接続順の変更を促すようなＧＵＩ画像データの生成を、映像表示装置２０及び映像表示装置３０のうちいずれか一方に指示する（ステップＳ７０７）。
【００４６】
以上より実施例１によれば、映像出力装置から取得した映像データの一部を、他の映像表示装置へ伝送可能な映像表示装置において、複数の映像表示装置の最大映像転送帯域を比較することにより、より適切な映像表示装置の接続順を提示することが可能となる。また、映像データを他の映像表示装置へカスケード接続にて伝送が可能な映像出力装置において、映像出力装置から映像表示装置への転送可能な映像データ量を最大とする接続順を通知するように制御することが可能となる。さらに、カスケード接続順を変更することにより、映像出力装置から映像表示装置へ伝送可能な映像データの画素数が向上し、高精細な表示を行うことが可能となる。
【００４７】
（実施例２）
次に、実施例２について説明を行う。実施例１では、映像出力装置１０にカスケード接続される映像表示装置が２台の場合であったのに対して、実施例２では、３台以上の映像表示装置が接続された場合について説明する。図９は、実施例２にかかる映像出力装置１０、及び３台の映像表示装置２０、３０、４０がケーブル５１、５２、５３で接続された映像表示システム例を示す概念図である。実施例１の図１の映像表示システムに映像表示装置４０を映像表示装置３０の出力端子３４に接続した公正である。図１及び図２の各装置及び各ブロックと同様の機能を持つものには同じ符号を付与している。図９に示す映像表示システムを用いて、実施例２の説明を行う。
【００４８】
映像表示装置４０は、映像表示装置２０、３０と同様、ＤｉｓｐｌａｙＰｏｒｔ規格に準拠した装置であり、入力端子、接続制御部、レシーバ部、出力端子、ＧＵＩ生成部、画像処理部、表示制御部、表示部を有する。図９に示した映像表示装置２０、３０、４０は、説明を簡易にする関係上、入力端子（２１、３１、４１）、接続制御部（２２、３２、４２）、出力端子（２４、３４、４４）、表示部（２８、３８、４８）のみ記載している。
【００４９】
図９に記載の太線の矢印は、映像データの流れを概念的に示す。映像出力装置１０から出力される映像データは、映像表示装置２０、映像表示装置３０、映像表示装置４０それぞれで表示される映像データを含んでいる。図９に示すように、映像表示装置２０では、ケーブル５１を介して映像出力装置１０から入力された映像データのうち、映像表示装置２０の表示部２８に表示すべき（映像表示装置２０に割り当てられた）映像データを接続制御部２２が分離する。そして残りの映像データは、ケーブル５２を介して映像表示装置３０に送信する。映像表示装置３０では、映像表示装置２０から出力された映像データのうち、映像表示装置３０の表示部３８に表示すべき映像データを接続制御部３２が分離し、残りの映像データはケーブル５３介して映像表示装置４０に送信する。映像表示装置４０は、映像表示装置３０から送信された映像データを表示部４８に表示する。
【００５０】
実施例１では、図１に示す映像システムにおいて、映像表示装置２０は、映像表示装置２０の最大映像転送帯域の値と映像表示装置３０の最大映像転送帯域の値とを取得して比較し、接続順が適切かどうかを判断した。それに対して、本実施例の映像表示装置２０は、図９に示す映像表示システムにおける映像表示装置２０、３０に加えて更に、映像表示装置４０の最大映像転送帯域の値も取得して比較し、接続順が適切かどうかを判断する。
【００５１】
各映像表示装置の最大映像転送帯域の値は、それぞれの映像表示装置内の記憶部に記憶されている。また、図９に示す映像システムにおいて、各映像表示装置は、それぞれの映像表示装置の出力端子に接続されている映像表示装置内に保持している最大映像転送帯域の値を取得する。各映像表示装置が最大映像転送帯域の値を取得する方法について説明する。
【００５２】
図９のシステムにおいて、映像表示装置４０の出力端子４４は、いずれの映像表示装置にも接続されていない。よって、映像表示装置４０の接続制御部４２内の記憶部には、映像表示装置４０の最大転送レートの設定値及び最大ラインの設定値のみ格納されている。このように、出力端子に接続されたデバイスがない場合、映像表示装置４０にカスケード接続されている台数を示すカスケード段数は０段となる。カスケード段数も接続制御部４２内の記憶部に格納される。
【００５３】
次に、映像表示装置３０の出力端子３４は、映像表示装置４０と接続されている。映像表示装置３０の接続制御部３２は、映像表示装置４０が保持している最大映像転送帯域の値及びカスケード段数を読み出す。具体的には、接続制御部３２内のＡＵＸマスタ通信部が、ＡＵＸチャネルラインを用いて、映像表示装置４０の接続制御部４２内の記憶部から最大転送レートの設定値、最大ライン数の設定値、及びカスケード段数を読み出す。
【００５４】
カスケード段数が０段の映像表示装置４０が出力端子に接続されている、映像表示装置３０のカスケード段数は１段となる。映像表示装置３０は、取得した映像表示装置４０の最大転送レート及び最大ライン数の設定値と、映像表示装置３０（自装置）のカスケード段数を、映像表示装置３０の最大転送レート及び最大ライン数の設定値と共に接続制御部３２の記憶部に格納する。映像表示装置３０の接続制御部３２内の記憶部に格納するアドレスと各情報との対応関係を図１０に示す。アドレス５１０番地には、映像表示装置３０のカスケード段数＝１段が格納されている。５１１番地及び５１２番地は、それぞれカスケード段数＝０段の映像表示装置４０の最大転送レートの設定値及び最大ライン数の設定値が格納されている。
【００５５】
次に、映像表示装置２０の出力端子２４は、映像表示装置３０と接続されている。映像表示装置２０の接続制御部２２は、映像表示装置３０の接続制御部３２内の記憶部が保持している最大映像転送帯域の値及びカスケード段数を読み出す。接続制御部３２内の記憶部には、映像表示装置４０の最大転送レートの設定値及び最大ライン数の設定値、映像表示装置３０の最大転送レートの設定値及び最大ライン数の設定値、映像表示装置３０のカスケード段数（１段）が格納されおり、これらを読み出す。
【００５６】
カスケード段数が１段である映像表示装置３０が出力端子に接続されている、映像表示装置２０のカスケード段数は２段となる。映像表示装置２０は、取得した映像表示装置３０及び４０のそれぞれの最大転送レート及び最大ライン数の設定値、映像表示装置２０のカスケード段数を、映像表示装置２０の最大転送レート及び最大ライン数の設定値と共に接続制御部２２の記憶部に格納する。
【００５７】
以上のように、映像表示装置２０の接続制御部２２内の記憶部には、映像表示装置３０及び映像表示装置４０のそれぞれの最大転送レートの設定値、最大ライン数の設定値が格納される。図１１に、接続制御部２２内の記憶部に格納するアドレスと各情報との対応関係を示す図である。アドレス５１０番地には、映像表示装置２０のカスケード段数＝２段が格納されている。５１１番地及び５１２番地は、それぞれカスケード段数＝０段の映像表示装置４０の最大転送レートの設定値及び最大ライン数の設定値が格納されている。また、５１３番地及び５１４番地は、それぞれカスケード段数＝１段の映像表示装置３０の最大転送レートの設定値及び最大ライン数の設定値が格納されている。
【００５８】
実施例２において、接続した複数の映像表示装置の接続順が適切であるか否かを検出する処理を行うためのフローチャートを図１２に示す。図１２に記載のフローチャートは、映像表示システムを構成する複数の映像表示装置それぞれで行われる。各映像表示装置内の接続制御部の構成はそれぞれ図３と同様であり、図１２の説明は、映像表示装置２０で行われる場合について行う。映像表示装置２０の接続制御部２２は、図３に示す構成であり、図３のブロック図を用いて説明する。
【００５９】
まず、ステップＳ１２０１において、ＡＵＸマスタ通信部２０６は、出力端子２４に接続されたデバイスの接続制御部内の記憶部に格納されている、カスケード段数を読み出す。上述したように、映像表示装置２０に接続された映像表示装置３０の接続制御部内の記憶部に格納されている、映像表示装置３０のカスケード段数は２段である。次に、ステップＳ１２０２において、記憶部２０８は、ステップＳ１２０１で読みだしたカスケード段数に１を加えたものを、自装置（映像表示装置２０）のカスケード段数として、記憶部２０８内のＤＰＣＤ格納領域に格納する。
【００６０】
ステップＳ１２０３において、ＡＵＸマスタ通信部２０６は、出力端子２４に接続されたデバイスの接続制御部内の記憶部に格納されている、最大転送レートの設定値及び最大ライン数の設定値を読み出す。そしてステップＳ１２０４において、記憶部２０８は、ステップＳ１２０３で読みだした最大転送レートの設定値及び最大ライン数の設定値を、記憶部２０８内のＤＰＣＤ格納領域に格納する。
【００６１】
ステップＳ１２０５において、ＡＵＸスレーブ通信部２０５は、映像表示装置２０の入力端子２１から、カスケード段数の読み出し要求があるか否かを検出する。カスケード段数の読み出し要求がある場合には、自装置のデバイスよりも映像出力装置側（アップストリーム側）に他のデバイスがあると判断して、処理を終了する。
【００６２】
カスケード段数の読み出し要求がない場合、図１２のフローの処理を行っているデバイス（映像表示装置２０）が最も映像出力装置側（アップストリーム側）に接続されていると判断して、ステップＳ１２０６の処理へ移る。
【００６３】
この時点で、映像表示装置２０の接続制御部内の記憶部には、映像表示システムにおいてカスケード接続された複数の映像表示装置の最大転送レートの設定値及び最大ライン数の設定値が格納されている。そこで、ステップＳ１２０６において、比較部２０７は、図１２のフローの処理を行っている自装置のデバイス（映像表示装置２０）と最大映像転送帯域の値と、他のデバイス（映像表示装置）の最大映像転送帯域の値とを比較する。最大映像転送帯域の値は、実施例１と同様に、最大転送レートの設定値に最大ライン数の設定値を乗じることで算出される。比較部２０７は、最大映像転送帯域の値の大きい順を、適切な接続順とする。
【００６４】
ステップＳ１２０７において、ＡＵＸマスタ通信部は、ステップＳ１２０６における比較部２０７の比較結果を受けて、各映像表示装置に対してＡＵＸチャネルラインを通して接続順を通知する。例えば、映像表示装置４０＞映像表示装置２０＞映像表示装置３０の順に最大映像転送帯域の値が大きい場合は、映像表示装置４０に接続順１番、映像表示装置２０に接続順２番、映像表示装置３０に接続順３番を通知する。
【００６５】
ステップＳ１２０８において、各映像表示装置のＧＵＩ生成部は、受信した接続順に従って、接続順を通知するためのＧＵＩ画像データを生成する。そして生成されたＧＵＩ画像データは、表示制御部によって図１３のように、各映像表示装置の表示部に表示される。
【００６６】
本実施例では、３つの映像表示装置それぞれの最大映像転送帯域の値が異なる場合を記載したが、同じであってもよい。例えば、最大映像転送帯域の値が、映像表示装置４０＞映像表示装置２０＝映像表示装置３０の場合、映像表示装置４０が接続順１番目で有ればよく、映像表示装置２０及び映像表示装置３０の接続順は特に問わない。また、図１３のようにそれぞれの映像表示装置の表示部に接続順を通知するＧＵＩ画像を表示する構成で説明したが、これに限られない。例えば、複数の映像表示装置のうち１つの映像表示装置の表示部に、図１３に示したような映像表示システムの図を表示して、適切な接続順を通知してもよい。
【００６７】
以上のように、本実施例によれば、映像出力装置から取得した映像データを、他の映像表示装置へ伝送可能な映像表示装置、または映像出力装置において、複数の映像表示装置が３台以上の場合でも、各映像表示装置の最大映像転送帯域の比較を行う。各映像表示装置の最大映像転送帯域の比較を行うことにより、より適切な映像表示装置の接続順を映像表示装置の表示部に提示することが可能となる。さらに、カスケード接続順を変更することにより、各映像表示装置へ伝送可能な映像データの画素数が向上し、高精細な表示を行うことが可能となる。
【００６８】
（その他の実施例）
また、本発明は、以下の処理を実行することによっても実現される。つまり、上述した実施形態の機能を実現するソフトウェア（プログラム）が、ネットワーク又は各種記憶媒体（ＲＯＭやＲＡＭ等のメモリ）を介してシステム或いは装置に供給される。そして、そのシステム或いは装置のコンピュータ（またはＣＰＵやＭＰＵ等の制御部）がプログラムを読み出して実行する処理である。したがって、上述した実施形態の機能を実現するためのコンピュータプログラム自体も本発明の一つである。
【符号の説明】
【００６９】
１０  映像出力装置
２０  映像表示装置
２２  接続制御部
２３  レシーバ
２５  ＧＵＩ生成部
２０２  分離部
２０７  比較部
２０８  記憶部
【図１】
0005984369.tif 000002
【図２】
0005984369.tif 000003
【図３】
0005984369.tif 000004
【図４】
0005984369.tif 000005
【図５】
0005984369.tif 000006
【図６】
0005984369.tif 000007
【図７】
0005984369.tif 000008
【図８】
0005984369.tif 000009
【図９】
0005984369.tif 000010
【図１０】
0005984369.tif 000011
【図１１】
0005984369.tif 000012
【図１２】
0005984369.tif 000013
【図１３】
0005984369.tif 000014
【図１４】
0005984369.tif 000015